(57)【要約】【課題】従来の技術による諸問題を解決するため、単一色の飽和度を個別に調整できる方法を提供する。【解決手段】デジタル画像の単一色の色飽和度を調整する方法は、単一色と相応する領域を決め、座標値が決められた領域にあるピクセルの色飽和度を調整するステップを含む。【選択図】図１
2005085268.tif 000002
【特許請求の範囲】
【請求項１】
デジタル画像の単一色の色飽和度を調整する方法において、当デジタル画像は複数のピクセルを有し、当ピクセルは座標系に座標値を有し、当座標系は複数の領域を含み、当方法は、
単一色と相応する領域を決め、
座標値が決められた領域にあるピクセルの色飽和度を調整するステップを含むことを特徴とする色飽和度の調整方法。
【請求項２】
前記ピクセルの色飽和度に対する調整はピクセルの座標値（Ｃｂ、Ｃｒ）を調整することであることを特徴とする請求項１記載の色飽和度の調整方法。
【請求項３】
前記方法は更に、
彩度利得をＧｃｂｍとＧｃｒｍとし、ピクセルの座標値（Ｃｂ、Ｃｒ）を（Ｇｃｂｍ＊Ｃｂ、Ｇｃｒｍ＊Ｃｒ）にするステップを含むことを特徴とする請求項２記載の色飽和度の調整方法。
【請求項４】
前記ＧｃｂｍがＧｃｒｍに等しいであることを特徴とする請求項３記載の色飽和度の調整方法。
【請求項５】
前記彩度利得がプログラム可能であることを特徴とする請求項３記載の色飽和度の調整方法。
【請求項６】
前記方法は更に、
ピクセルの座標値の正負によってピクセルが相応領域内にあるかどうかを判断するステップを含むことを特徴とする請求項１記載の色飽和度の調整方法。
【請求項７】
前記領域は４つの象限によって分けられることを特徴とする請求項６記載の色飽和度の調整方法。
【請求項８】
前記方法は更に、
ピクセルの座標値の大小によってピクセルが相応領域内にあるかどうかを判断するステップを含むことを特徴とする請求項１記載の色飽和度の調整方法。
【請求項９】
前記領域は傾き３、１／３、−１で区分することを特徴とする請求項８記載の色飽和度の調整方法。
【請求項１０】
デジタル画像の色飽和度を調整する方法において、
単一色によって画像から相応するピクセルを特定し、
特定されたピクセルの色飽和度を調整するステップを含むことを特徴とする色飽和度の調整方法。
【請求項１１】
前記単一色は複数の領域を有する座標系にあり、前記相応するピクセルと単一色は同じ領域に属することを特徴とする請求項１０記載の色飽和度の調整方法。
【請求項１２】
前記座標系はＣｂ、Ｃｒによるものであることを特徴とする請求項１１記載の色飽和度の調整方法。
【請求項１３】
前記ピクセルは座標系に座標値を有し、前記ピクセルの色飽和度に対する調整はピクセルの座標値（Ｃｂ、Ｃｒ）を調整することであることを特徴とする請求項１１記載の色飽和度の調整方法。
【請求項１４】
前記方法は更に、
彩度利得をＧｃｂｍとＧｃｒｍとし、ピクセルの座標値（Ｃｂ、Ｃｒ）を（Ｇｃｂｍ＊Ｃｂ、Ｇｃｒｍ＊Ｃｒ）にするステップを含むことを特徴とする請求項１３記載の色飽和度の調整方法。
【請求項１５】
前記ＧｃｂｍがＧｃｒｍに等しいであることを特徴とする請求項１４記載の色飽和度の調整方法。
【請求項１６】
前記彩度利得がプログラム可能であることを特徴とする請求項１４記載の色飽和度の調整方法。
【請求項１７】
前記方法は更に、
ピクセルの座標値の正負によってピクセルが相応領域内にあるかどうかを判断するステップを含むことを特徴とする請求項１３記載の色飽和度の調整方法。
【請求項１８】
前記領域は４つの象限によって分けられることを特徴とする請求項１７記載の色飽和度の調整方法。
【請求項１９】
前記方法は更に、
ピクセルの座標値の大小によってピクセルが相応領域内にあるかどうかを判断するステップを含むことを特徴とする請求項１３記載の色飽和度の調整方法。
【請求項２０】
前記領域は傾き３、１／３、−１で区分することを特徴とする請求項１９記載の色飽和度の調整方法。
【発明の詳細な説明】
【技術分野】
【０００１】
この発明は色飽和度の調整方法に関し、特に単一色の飽和度の調整方法に関する。
【背景技術】
【０００２】
デジタルカメラの消費者にとって画像の鮮やかさが問われるため、画像の鮮やかさ、即ち色飽和度の向上は開発上重要なポイントになっている。従来の技術によれば、デジタル画像のＲ、Ｇ、Ｂ値をＹ、Ｃｂ、Ｃｒ値に変換してピクセルの輝度（Ｙ）と彩度（Ｃｂ、Ｃｒ）を調整することは普通である。
【０００３】
従来の技術では画像のＲ、Ｇ、Ｂ値をＹ、Ｃｂ、Ｃｒ値に変換してから、ピクセルの彩度（Ｃｂ、Ｃｒ）を直接に調整することによって色飽和度を調整する。しかし、彩度（Ｃｂ、Ｃｒ）を直接に調整するとともに、画像にある各色のピクセルの色飽和度は同時に調整され、画像全体の色合いを変えることとなる。
【０００４】
したがって、従来の技術によれば、画像全体の色合いは不自然になる恐れがある。なお、各色の飽和度を同時に調整するため、画像全体の色合いに問題がなくても、各色のピクセル間のコントラストを表現できない恐れがある。
【発明の開示】
【発明が解決しようとする課題】
【０００５】
この発明は前述の問題を解決するため、単一色の飽和度を個別に調整できる方法を提供することを課題とする。
【課題を解決するための手段】
【０００６】
この発明はデジタル画像の単一色の色飽和度を調整する方法を提供する。当デジタル画像は複数のピクセルを有し、当ピクセルは座標系に座標値を有し、当座標系は複数の領域を含む。当方法は、単一色と相応する領域を決め、座標値が決められた領域にあるピクセルの色飽和度を調整するステップを含む。
【０００７】
この発明は更にデジタル画像の色飽和度を調整する方法を提供する。当方法は、単一色によって画像から相応するピクセルを特定し、特定されたピクセルの色飽和度を調整するステップを含む。
【発明の効果】
【０００８】
この発明による色飽和度の調整方法は、画像の色飽和度変数で座標系をつくってから、座標系を利用して単一色のピクセルを特定してその色飽和度を調整できるため、従来の技術のように彩度（Ｃｂ、Ｃｒ）を直接に調整することにより各色のピクセルの色飽和度を同時に調整することなく、画像全体の色合いと画像のコントラストを向上させる。
【発明を実施するための最良の形態】
【０００９】
かかる方法の特徴を詳述するために、具体的な実施例を挙げ、図示を参照にして以下に説明する。
【実施例１】
【００１０】
この発明によれば、デジタル画像のピクセルのＣｂ、Ｃｒ値を調整する場合、調整しようとするＣｂ、Ｃｒ値の分布によってその色に近い、該画像のピクセルを特定してから、そのＣｂ、Ｃｒ値を調整する。まず画像にあるピクセルの第一彩度（Ｃｂ）と第二彩度（Ｃｒ）を座標で表して相応の色を定め、次に画像に調整しようとする単一色によって座標に画像のその単一色と同じ色のピクセルを特定して、その第一彩度Ｃｂ、第二彩度Ｃｒ値を調整する。
【００１１】
この実施例において、画像の色飽和度は彩度Ｃｂ、Ｃｒ値と関連があるため、前記座標はＣｂ、Ｃｒ値を両軸とする。図１を参照する。図１はＣｂ、Ｃｒ値と各色の関係座標図である。図１によれば、平面は第一Ｉ、第二ＩＩ、第三ＩＩＩ、第四ＩＶなどの象限に分けられ、Ｃｂ、Ｃｒ値の座標位置はＰ＝（Ｃｂ、Ｃｒ）と示される。そのうち、ＹはＰと原点の距離であり、Ｃｂ、Ｃｒ値が対応する色飽和度に相当する。Ｃｂ、Ｃｒ値の座標位置Ｐがある象限によって、ピクセルはさまざまな色を呈する。例えば、Ｐが第一象限Ｉにあれば、Ｃｂ、Ｃｒ値が対応する色は赤であり、Ｐが第二象限ＩＩにあれば、Ｃｂ、Ｃｒ値が対応する色は赤であり、Ｐが第三象限ＩＩＩにあれば、Ｃｂ、Ｃｒ値が対応する色は緑であり、Ｐが第四象限ＩＶにあれば、Ｃｂ、Ｃｒ値が対応する色は青である。
【００１２】
前述の通りにＣｂ、Ｃｒ値が対応する色を定めれば、ピクセルの色飽和度を調整する場合、前述のＣｂ、Ｃｒ値による座標系から部分の色または単一色のピクセルを特定してそのＣｂ、Ｃｒ値を調整すればよい。Ｃｂ、Ｃｒ値を調整するとともにＹ値も変化する。
【００１３】
調整しようとする単一色のピクセルを特定してから、各象限の彩度利得（Ｇｃｂ１、Ｇｃｒ１）、（Ｇｃｂ２、Ｇｃｒ２）、（Ｇｃｂ３、Ｇｃｒ３）、（Ｇｃｂ４、Ｇｃｒ４）を利用して当該ピクセルのＣｂ、Ｃｒ値を調整することができる。つまり、Y値を調整する。彩度利得（Ｇｃｂ、Ｇｃｒ）が１を上回れば、ピクセルの色飽和度を増加し、彩度利得（Ｇｃｂ、Ｇｃｒ）が１を下回れば、ピクセルの色飽和度を減少し、彩度利得（Ｇｃｂ、Ｇｃｒ）が１に等しければ、ピクセルの色飽和度を維持する。
【００１４】
実施例１において、例えば青色系のピクセルを調整する場合、座標から青色系に属するピクセル（Ｃｂ、Ｃｒ値が第四象限ＩＶにある）を特定してから、ピクセルのＣｂ、Ｃｒ値をＧｃｂ＊Ｃｂ、Ｇｃｒ＊Ｃｒにする。同じく、赤色系のピクセルを調整する場合は第一象限Ｉと第二象限ＩＩにあるピクセルを特定する。もっとも、各象限の利得値はプログラム可能である。
【実施例２】
【００１５】
図２を参照する。図２はＣｂ、Ｃｒ値と各色の関係座標図である。図２によれば、Ｃｂ、Ｃｒ値の傾きが３を上回るまたは−１を下回る場合、Ｃｒ値が正であれば赤、Ｃｒ値が負であれば藍（cyan）と定め、値の傾きが−１と１／３に介する場合、Ｃｂ値が正であれば青、Ｃｂ値が負であれば黄と定め、値の傾きが１／３と３に介する場合、Ｃｂ（またはＣｒ）値が正であれば紫（magenta）、Ｃｂ（またはＣｒ）値が負であれば緑とそれぞれ定める。
【００１６】
次に前述の通りに、Ｃｂ、Ｃｒ値による座標系から調整しようとする単一色のピクセルを特定し、各領域の利得を利用してピクセルのＣｂ、Ｃｒ値を調整することができる。
【００１７】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１８】
この発明による色飽和度の調整方法は、画像の色飽和度変数で座標系をつくってから、座標系を利用して単一色のピクセルを特定してその色飽和度を調整できるため、従来の技術のように画像全体の色飽和度を調整することなく、画像のコントラストを向上させる。
【図面の簡単な説明】
【００１９】
【図１】この発明の実施例１によるＣｂ、Ｃｒ値と各色の関係座標図である。
【図２】この発明の実施例２によるＣｂ、Ｃｒ値と各色の関係座標図である。
【符号の説明】
【００２０】
Ｃｂ              第一色飽和度
Ｃｒ              第二色飽和度
Ｐ                位置
Ｉ                第一象限
ＩＩ              第二象限
ＩＩＩ            第三象限
ＩＶ              第四象限
【図１】
2005085268.tif 000003
【図２】
2005085268.tif 000004